(57)【要約】【課題】寝具使用時における肩周辺の隙間からの熱流出を防ぎ、肩や首の寝具からのはみ出しに伴う寒さ感を緩和し、室温が低くても暖かく就寝できる寝具を提供する。【解決手段】掛け寝具又は掛け寝具用カバーの頭側下部に、両端を窄めた布袋に保温性と伸縮性の高い保温材を充填した保温肩当てを、足側を内側とする括弧の片側状の形状に設ける。使用時には該保温肩当てを、肩と顎の間に入れることで、該保温肩当てが、掛け寝具並びに自身の重さによって変形し、肩周辺の隙間を塞ぎ、本発明の特徴である括弧の片側状の形状になっていることで、肩や首を覆い包むように働き、肩周辺の隙間からの熱流出を防ぎ、肩や首を保温する。【選択図】  図６
2004174022.tif 000002
【特許請求の範囲】
【請求項１】
寝具において、肩や首を保温するための括弧の片側状の形状を特徴とする保温肩当て（１）を有する掛け寝具。
【請求項２】
寝具において、肩や首を保温するための括弧の片側状の形状を特徴とする保温肩当て（１）を有する掛け寝具用カバー。
【請求項３】
掛け寝具に、括弧の片側状の形状を特徴とする保温肩当て用収納袋を備え、該収納袋に保温肩当てを収納した請求項１記載の寝具。
【請求項４】
掛け寝具用カバーに、括弧の片側状の形状を特徴とする保温肩当て用収納袋を備え、該収納袋に保温肩当てを収納した請求項２記載の掛け寝具用カバー。
【請求項５】
布袋に保温材が充填された、括弧の片側状の形状を特徴とする寝具用保温肩当て（１）。
【発明の詳細な説明】
【０００１】
【発明の属する技術分野】
本発明は、保温肩当てを備えた寝具並びに該寝具に用いる保温肩当てに関する。
【０００２】
【従来の技術】
従来の寝具においては、敷き布団等の敷き寝具と掛け布団等の掛け寝具を用いているが、敷き寝具、掛け寝具ともほぼ平坦な形状をしている。
【０００３】
【発明が解決しようとする課題】
従来の寝具においては、使用時に肩周辺に隙間ができて、その隙間から熱が流失してしまう。また、肩や首が寝具からはみ出てしまうので、室温が低い場合は寒く感じるという問題点があった。また、保温肩当ては各種発明されているが、効果等に問題点があった。
【０００４】
【課題を解決するための手段】
上記課題を解決するために、本発明は、掛け寝具又は掛け寝具用カバーの頭側下部に、布袋に保温性と伸縮性の高い保温材を充填した保温肩当てを、足側を内側とする括弧の片側状の形状に設けることとしている。使用時には該保温肩当てを、肩と顎の間に入れることで、該保温肩当てが、掛け寝具並びに自身の重さによって変形し、肩周辺の隙間を塞ぎ、本発明の特徴である括弧の片側状の形状になっていることで、肩や首を覆い包むように働く。そして、肩周辺の隙間からの熱流出を防ぎ、肩や首を保温し、暖かく就寝でき課題が解決する。
【０００５】
【発明の実施の形態】
本発明は、掛け寝具又は掛け寝具用カバーに、暖かく就寝するための保温肩当てを設けたものである。
【０００６】
上記保温肩当ては、掛け寝具又は掛け寝具用カバーの頭側の下部に、足側を内側とする括弧の片側状の形状に設ける。
【０００７】
また、保温肩当ては、両端を窄めた袋状の布に羽毛等の保温性と伸縮性の高い保温材を充填する。掛け寝具に直接保温肩当てを設ける場合は、該保温肩当てと同様の形状になるよに布袋を掛け寝具に取り付け、保温材を充填してもよい。
【０００８】
また、保温肩当ては、形を整えるために、かつ保温材が偏らないようにするために、適当な位置に羽毛布団と同様に網状の布等による仕切を設けるとよい。
【０００９】
また、保温肩当てを掛け寝具に直接設けない場合は、掛け寝具又は掛け寝具用カバーに、縫い付けやジッパー、紐等によって取り付けても、該保温肩当ての形状に合わせた収納用の袋を備えて入れてもよい。
【００１０】
掛け寝具又は掛け寝具用カバーに収納用の袋を設けて保温肩当てを収納する場合は、該収納用の袋を上記の形状にすれば、保温肩当ての形状を括弧の片側状にしなくともよい。
【００１１】
上記のように構成された掛け寝具又は掛け寝具用カバーの使用において、保温肩当てを肩と顎の間に入れることによって、保温肩当てが、掛け寝具並びに自身の重さによって変形し、肩周辺の隙間を塞ぎ、本発明の特徴である括弧の片側状の形状になっていることで、肩や首を覆い包むように働く。
【００１２】
【実施例】
実施例について図面を参照して説明すると、保温肩当て（１）は、図１のように括弧の片側の形状のように、かつ図２、３のように両端を窄めた形状の布袋に羽毛等の保温性と伸縮性の高い保温材を充填する。
【００１３】
保温肩当て（１）は、図１，２，３における上面が、掛け寝具又は掛け寝具用カバーの下面と接するように、縫い付け又はボタンや紐、ジッパー等によって取り付ける。
【００１４】
又は、掛け寝具又は掛け寝具用カバーに収納用の袋を設けて収納する。
【００１５】
又は、掛け寝具に直接図１，２，３のような形状の布袋を設けて保温材を充填する。
【００１６】
保温肩当て（１）は、図５、６、７，８のように、掛け寝具又は掛け寝具用カバーの頭側の下部に、足側を内側とする括弧の片側状の形状に設ける。
【００１７】
掛け寝具又は掛け寝具用カバーに、保温肩当て（１）の収納用の袋を設ける場合も、該袋を同様に設ける。また、掛け寝具に直接保温肩当てを設ける場合も同様に設ける。
【００１８】
保温肩当ては、図１，２，３、４のように、掛け寝具の下面に対して垂直方向に平たくなるように、かつ保温材が偏らないようにするために、適当な位置に羽毛布団と同様に保温材仕切用の網状の布等による仕切（２，３，４、５）を設ける。
【００１９】
該寝具の使用時には、図９の想像図のように、保温肩当てが肩と顎の間に入るようにする。
【００２０】
【発明の効果】
本発明は、以上説明したような形態で実施され、以下に記載されるような効果を奏する。
【００２１】
該寝具の使用時には、保温肩当てを肩と顎の間に入れることで、保温肩当てが掛け寝具並びに自身の重さによって、敷き寝具と掛け寝具の隙間にあわせて変形するので、その隙間を塞ぐことができ、熱の流出を防止できる。
【００２２】
さらに、括弧の片側状の形状になっていることによって、保温肩当てで肩や首を覆い包むことができ、肩や首を保温できる。
【００２３】
また、保温肩当てに伸縮性の高い保温材を用い、首を入れるための穴を設けないことで、寝返等で位置が多少ずれても効果を保つことができる。
【００２４】
【図面の簡単な説明】
【図１】本発明の実施例を示す保温肩当ての平面図である。
【図２】同保温肩当ての正面図である。
【図３】同保温肩当ての右側面図である。
【図４】同保温肩当てのＡＡ断面図である。
【図５】本発明の実施例を示す保温肩当てを設けた掛け寝具の平面図である。
【図６】同掛け寝具の裏面図である。
【図７】同掛け寝具のＢＢ断面図である。
【図８】同掛け寝具のＣＣ断面図である。
【図９】同掛け寝具の使用時の想像図である。
【符号の説明】
１  保温肩当て
２，３，４、５  保温材仕切用の網状の布等
６  掛け寝具
７  人
【図１】
2004174022.tif 000003
【図２】
2004174022.tif 000004
【図３】
2004174022.tif 000005
【図４】
2004174022.tif 000006
【図５】
2004174022.tif 000007
【図６】
2004174022.tif 000008
【図７】
2004174022.tif 000009
【図８】
2004174022.tif 000010
【図９】
2004174022.tif 000011